【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
生物学的水処理プロセスで水処理するための混合物であって、
有機系凝集剤、
微量栄養素、および
ポリマー
を含んで成り、
前記生物学的水処理性を向上させるために、前記凝集剤、前記微量栄養素および前記ポリマーが所定の比で混合される、水処理するための混合物。
【請求項２】
前記凝集剤、前記微量栄養素および前記ポリマーが、前記生物学的水処理性を向上させるために相乗的な量で前記水へ加えられる、請求項１に記載の水処理するための混合物。
【請求項３】
前記混合物が、２０〜６０重量部の前記凝集剤、４〜８重量部の前記微量栄養素および１〜５重量部の前記ポリマーを含んで成る、請求項１又は２に記載の水処理するための混合物。
【請求項４】
水１リットル当たりに８〜１７ｍｇの量の前記凝集剤が供され、水１リットル当たりに０．２〜１ｍｇの量の前記微量栄養素が供され、および水１リットル当たりに１．５〜３ｍｇの量の前記ポリマーが供される、請求項１〜３のいずれかに記載の水処理するための混合物。
【請求項５】
前記凝集剤がでんぷん系凝集剤である、請求項１〜４のいずれかに記載の水処理するための混合物。
【請求項６】
前記微量栄養素が、鉄、亜鉛、ナトリウム、マグネシウムおよびマンガンの塩から成る群から選択される塩を含んで成る、請求項１〜５のいずれかに記載の水処理するための混合物。
【請求項７】
前記微量栄養素が、１つ又はそれよりも多い塩化鉄（ＦｅＣｌ３）、硫化マグネシウム（ＭｇＳＯ４）、硫化ナトリウム（Ｎａ２ＳＯ４）、硫化亜鉛（ＺｎＳＯ４）および塩化マンガン（ＭｎＣｌ２）を含んで成る、請求項１〜６のいずれかに記載の水処理するための混合物。
【請求項８】
前記微量栄養素が酵母を含んで成る、請求項１〜６のいずれかに記載の水処理するための混合物。
【請求項９】
前記ポリマーが天然ポリマーである、請求項１〜８のいずれかに記載の水処理するための混合物。
【請求項１０】
前記ポリマーがキトサンである、請求項１〜９のいずれかに記載の水処理するための混合物。
【請求項１１】
生物学的水処理プロセスのための試薬であって、
微量栄養素、および
天然ポリマー
を含んで成り、
前記試薬が、凝集剤との相乗的な量で前記プロセスに適用される、試薬。
【請求項１２】
前記凝集剤よりも先に又は前記凝集剤と共に、前記試薬が前記プロセスに適用される、請求項１１に記載の試薬。
【請求項１３】
生物学的水処理システムであって、
有機系凝集剤、微量栄養素およびポリマーを含んで成り、
前記凝集剤、前記微量栄養素および前記ポリマーが、所定の相乗比で混合され、生物学的水処理プロセスの水へ添加される、生物学的水処理システム。
【請求項１４】
前記凝集剤、微量栄養素およびポリマーが、水処理プロセスの水へ添加される前に、前記所定の相乗比で混合される、請求項１３に記載の生物学的水処理システム。
【請求項１５】
前記凝集剤、微量栄養素およびポリマーが、前記水処理プロセスの場で混合される、請求項１３に記載の生物学的水処理システム。
【請求項１６】
前記生物学的水処理プロセスが、膜バイオリアクターを含んで成る、請求項１３〜１５のいずれかに記載の生物学的水処理システム。
【請求項１７】
前記生物学的水処理プロセスが、浸水スポンジを含んで成る、請求項１３〜１５のいずれかに記載の生物学的水処理システム。
【請求項１８】
前記生物学的水処理プロセスが、浸水膜バイオリアクターを含んで成る、請求項１３〜１５のいずれかに記載の生物学的水処理システム。
【請求項１９】
前記凝集剤が天然有機系凝集剤である、請求項１３〜１８のいずれかに記載の生物学的水処理システム。
【請求項２０】
前記凝集剤がでんぷん系凝集剤である、請求項１３〜１９のいずれかに記載の生物学的水処理システム。
【請求項２１】
生物学的水処理での有機系凝集剤の効能を向上させる方法であって、
前記方法が、水へ前記凝集剤を添加する前に、又は同時に前記凝集剤と微量栄養素およびポリマーの相乗的な量と混合することを含んで成る、方法。
【請求項２２】
生物学的水処理プロセスで凝集剤を使用することにより生成されるフロックの特性を変える方法であって、
所定の相乗比で、前記凝集剤、微量栄養素およびポリマーを別々に又は同時に処理を必要とする水へ添加することを含んで成る、フロックの特性を変える方法。
【手続補正２】
【補正対象書類名】明細書
【補正対象項目名】００５６
【補正方法】変更
【補正の内容】
【００５６】
標準的な凝集は、水中の微粒子をフロックに凝集する水処理で幅広く使用されているプロセスである。このフロックは、水流の頂部（又は上部）にまで浮上し、又は底部にまで沈んでよく、又、水中からすばやく除去され得る。凝集剤又は凝集薬剤は、水中のコロイドや他の浮遊粒子を凝集し、フロックを形成することで凝集を促進する化学物質である。凝集剤は一般的に水処理プロセスで使用され、水中の小さな粒子の沈殿を改善する。ミクロン径以上の微粒子は、相互に反発しあう静電的帯電（負の帯電が多い）により水中にて連続的に動いている。化学凝固剤はこの静電的帯電を中性にして、微粒子が衝突、凝固し始める。これら凝集した大きな粒子をフロックと呼ぶ。多くの凝集剤は、アルミニウム、鉄、カルシウム又はマグネシウムのような多価陽イオンである。又、変性ポリアクリルアミドのような長鎖ポリマー凝集剤が、水処理プロセスで一般的に使用されている。これらは、負に帯電した微粒子と相互に作用する正に帯電した微粒子である。更に、これら化学物質は、適当なｐＨと温度状況との下で、水と反応して相互に結合し物理的に小さな微粒子をフロックに捕捉する長鎖を形成する不溶性水酸化物を形成してもよい。
【手続補正３】
【補正対象書類名】明細書
【補正対象項目名】００５８
【補正方法】変更
【補正の内容】
【００５８】
本発明の混合物/試薬は、生物学的水処理性を高めることによる従来技術と比べて多くの利点を供する。凝集剤/微量栄養素/ポリマーの混合物は、処理が行われる間にフロック径を大きくし、フロックの生物活性を増やし、又汚染を低減する。当業者には明らかであるとは思うが、フロックは、フロック内のバイオマスを増やすだけではなく、より多くの栄養素をバイオマスへ供して、生物活性を長期間保持する。フロックが大きくなることにより、標準技術と比べて生物活性が改善されると共に、汚染が低減されるという相乗効果が供されるのである。
【手続補正４】
【補正対象書類名】明細書
【補正対象項目名】００８４
【補正方法】変更
【補正の内容】
【００８４】
実施例について説明してきたが、本発明は他の態様を採ってもよいことは当業者には理解し得るであろう。
なお、本明細書の開示内容は、以下の態様を含み得る。
（態様１）
生物学的水処理プロセスで水処理するための混合物であって、
有機系凝集剤、
微量栄養素、および
ポリマー
を含んで成り、
前記生物学的水処理性を向上させるために、前記凝集剤、前記微量栄養素および前記ポリマーが所定の比で混合される、水処理するための混合物。
（態様２）
前記凝集剤、前記微量栄養素および前記ポリマーが、前記生物学的水処理性を向上させるために相乗的な量で前記水へ加えられる、態様１に記載の水処理するための混合物。
（態様３）
前記混合物が、２０〜６０重量部の前記凝集剤、４〜８重量部の前記微量栄養素および１〜５重量部の前記ポリマーを含んで成る、態様１又は２に記載の水処理するための混合物。
（態様４）
水１リットル当たりに８〜１７ｍｇの量の前記凝集剤が供され、水１リットル当たりに０．２〜１ｍｇの量の前記微量栄養素が供され、および水１リットル当たりに１．５〜３ｍｇの量の前記ポリマーが供される、態様１〜３のいずれかに記載の水処理するための混合物。
（態様５）
前記凝集剤が生分解性を有している、態様１〜４のいずれかに記載の水処理するための混合物。
（態様６）
前記凝集剤が天然有機系凝集剤である、態様１〜５のいずれかに記載の水処理するための混合物。
（態様７）
前記凝集剤がでんぷん系凝集剤である、態様１〜６のいずれかに記載の水処理するための混合物。
（態様８）
前記微量栄養素が、鉄、亜鉛、ナトリウム、マグネシウムおよびマンガンの塩から成る群から選択される塩を含んで成る、態様１〜７のいずれかに記載の水処理するための混合物。
（態様９）
前記微量栄養素が複数の無機塩を含んで成る、態様８に記載の水処理するための混合物。
（態様１０）
前記微量栄養素が、１つ又はそれよりも多い塩化鉄（ＦｅＣｌ３）、硫化マグネシウム（ＭｇＳＯ４）、硫化ナトリウム（Ｎａ２ＳＯ４）、硫化亜鉛（ＺｎＳＯ４）および塩化マンガン（ＭｎＣｌ２）を含んで成る、態様８又は９に記載の水処理するための混合物。
（態様１１）
前記微量栄養素が酵母を含んで成る、態様１〜７のいずれかに記載の水処理するための混合物。
（態様１２）
前記ポリマーが天然ポリマーである、態様１〜１１のいずれかに記載の水処理するための混合物。
（態様１３）
前記ポリマーがキトサンである、態様１〜１２のいずれかに記載の水処理するための混合物。
（態様１４）
生物学的水処理プロセスのための試薬であって、
微量栄養素、および
天然ポリマー
を含んで成り、
前記試薬が、凝集剤との相乗的な量で前記プロセスに適用される、試薬。
（態様１５）
前記凝集剤よりも先に又は前記凝集剤と共に、前記試薬が前記プロセスに適用される、態様１４に記載の試薬。
（態様１６）
前記試薬が、４〜８重量部の前記微量栄養素および１〜５重量部の前記ポリマーを含んで成り、２０〜６０重量部の前記凝集剤と共に適用される、態様１４又は１５に記載の試薬。
（態様１７）
ポリマー／微量栄養素の比が、処理水１リットル当たり０．２／１．５ｍｇ〜１／３ｍｇである、態様１４〜１６のいずれかに記載の試薬。
（態様１８）
前記微量栄養素が、鉄、亜鉛、ナトリウム、マグネシウムおよびマンガンの塩から成る群から選択される塩を含んで成る、態様１４〜１７のいずれかに記載の試薬。
（態様１９）
前記微量栄養素が複数の無機塩を含んで成る、態様１８に記載の試薬。
（態様２０）
前記微量栄養素が、１つ又はそれよりも多い塩化鉄（ＦｅＣｌ３）、硫化マグネシウム（ＭｇＳＯ４）、硫化ナトリウム（Ｎａ２ＳＯ４）、硫化亜鉛（ＺｎＳＯ４）および塩化マンガン（ＭｎＣｌ２）を含んで成る、態様１８又は１９に記載の試薬。
（態様２１）
前記微量栄養素が酵母を含んで成る、態様１４〜１７のいずれかに記載の試薬。
（態様２２）
前記ポリマーが天然ポリマーである、態様１４〜２１のいずれかに記載の試薬。
（態様２３）
前記ポリマーがキトサンである、態様１４〜２２のいずれかに記載の試薬。
（態様２４）
生物学的水処理システムであって、
有機系凝集剤、微量栄養素およびポリマーを含んで成り、
前記凝集剤、前記微量栄養素および前記ポリマーが、所定の相乗比で混合され、生物学的水処理プロセスの水へ添加される、生物学的水処理システム。
（態様２５）
前記凝集剤、微量栄養素およびポリマーが、水処理プロセスの水へ添加される前に、前記所定の相乗比で混合される、態様２４に記載の生物学的水処理システム。
（態様２６）
前記凝集剤、微量栄養素およびポリマーが、前記水処理プロセスの場で混合される、態様２４に記載の生物学的水処理システム。
（態様２７）
前記生物学的水処理プロセスが、膜バイオリアクターを含んで成る、態様２４〜２６のいずれかに記載の生物学的水処理システム。
（態様２８）
前記生物学的水処理プロセスが、浸水スポンジを含んで成る、態様２４〜２６のいずれかに記載の生物学的水処理システム。
（態様２９）
前記生物学的水処理プロセスが、浸水膜バイオリアクターを含んで成る、態様２４〜２６のいずれかに記載の生物学的水処理システム。
（態様３０）
２０〜６０重量部の前記凝集剤、４〜８重量部の前記微量栄養素および１〜５重量部の前記ポリマーを含んで成る、態様２４〜２９のいずれかに記載の生物学的水処理システム。
（態様３１）
水１リットル当たりに８〜１７ｍｇの量の前記凝集剤が供され、水１リットル当たりに０．２〜１ｍｇの量の前記微量栄養素が供され、および水１リットル当たりに１．５〜３ｍｇの量の前記ポリマーが供される、態様２４〜３０のいずれかに記載の生物学的水処理システム。
（態様３２）
前記凝集剤が生分解性を有している、態様２４〜３１のいずれかに記載の生物学的水処理システム。
（態様３３）
前記凝集剤が天然有機系凝集剤である、態様２４〜３２のいずれかに記載の生物学的水処理システム。
（態様３４）
前記凝集剤がでんぷん系凝集剤である、態様３３に記載の生物学的水処理システム。
（態様３５）
前記微量栄養素が、鉄、亜鉛、ナトリウム、マグネシウムおよびマンガンの塩から成る群から選択される塩を含んで成る、態様２４〜３４のいずれかに記載の生物学的水処理システム。
（態様３６）
前記微量栄養素が複数の無機塩を含んで成る、態様３５に記載の生物学的水処理システム。
（態様３７）
前記微量栄養素が、１つ又はそれよりも多い塩化鉄（ＦｅＣｌ３）、硫化マグネシウム（ＭｇＳＯ４）、硫化ナトリウム（Ｎａ２ＳＯ４）、硫化亜鉛（ＺｎＳＯ４）および塩化マンガン（ＭｎＣｌ２）を含んで成る、態様３５又は３６に記載の生物学的水処理システム。
（態様３８）
前記微量栄養素が酵母を含んで成る、態様２４〜３４のいずれかに記載の生物学的水処理システム。
（態様３９）
前記ポリマーが天然ポリマーである、態様２４〜３８のいずれかに記載の生物学的水処理システム。
（態様４０）
前記ポリマーがキトサンである、態様２４〜３９のいずれかに記載の生物学的水処理システム。
（態様４１）
生物学的水処理するための方法であって、
処理を必要とする水へ所定の相乗比で微量栄養素、ポリマーおよび有機系凝集剤を添加する工程、および
得られた処理水がフロックを形成する工程を含んで成る、方法。
（態様４２）
前記水から前記フロックを除去することを更に含んで成る、態様４１に記載の生物学的水処理するための方法。
（態様４３）
前記微量栄養素、前記ポリマーおよび前記有機系凝集剤を前記水へ別々に添加する、態様４１又は４２に記載の生物学的水処理するための方法。
（態様４４）
前記微量栄養素および/又は前記ポリマーを前記凝集剤よりも先に又は前記凝集剤と共に添加する、態様４１又は４２に記載の生物学的水処理するための方法。
（態様４５）
前記微量栄養素と前記ポリマーと前記有機系凝集剤とを前記水へ添加する前に混合する、態様４１又は４２に記載の生物学的水処理するための方法。
（態様４６）
２０〜６０重量部の前記凝集剤、４〜８重量部の前記微量栄養素および１〜５重量部の前記ポリマーを前記水へ添加する、態様４１〜４５のいずれかに記載の生物学的水処理するための方法。
（態様４７）
水１リットル当たりに８〜１７ｍｇの量の前記凝集剤が供され、水１リットル当たりに０．２〜１ｍｇの量の前記微量栄養素が供され、および水１リットル当たりに１．５〜３ｍｇの量の前記ポリマーが供される、態様４１〜４６のいずれかに記載の生物学的水処理するための方法。
（態様４８）
前記凝集剤が生分解性を有している、態様４１〜４７のいずれかに記載の生物学的水処理するための方法。
（態様４９）
前記凝集剤が天然有機系凝集剤である、態様４１〜４８のいずれかに記載の生物学的水処理するための方法。
（態様５０）
前記凝集剤がでんぷん系凝集剤である、態様４９に記載の生物学的水処理するための方法。
（態様５１）
前記微量栄養素が、鉄、亜鉛、ナトリウム、マグネシウムおよびマンガンの塩から成る群から選択される塩を含んで成る、態様４１〜５０のいずれかに記載の生物学的水処理するための方法。
（態様５２）
前記微量栄養素が複数の無機塩を含んで成る、態様５１に記載の生物学的水処理するための方法。
（態様５３）
前記微量栄養素が、１つ又はそれよりも多い塩化鉄（ＦｅＣｌ３）、硫化マグネシウム（ＭｇＳＯ４）、硫化ナトリウム（Ｎａ２ＳＯ４）、硫化亜鉛（ＺｎＳＯ４）および塩化マンガン（ＭｎＣｌ２）を含んで成る、態様５１又は５２に記載の生物学的水処理するための方法。
（態様５４）
前記微量栄養素が酵母を含んで成る、態様４１〜５０のいずれかに記載の生物学的水処理するための方法。
（態様５５）
前記ポリマーが天然ポリマーである、態様４１〜５４のいずれかに記載の生物学的水処理するための方法。
（態様５６）
前記ポリマーがキトサンである、態様５５に記載の生物学的水処理するための方法。
（態様５７）
生物学的水処理での有機系凝集剤の効能を向上させる方法であって、
前記方法が、水へ前記凝集剤を添加する前に、又は同時に前記凝集剤と微量栄養素およびポリマーの相乗的な量と混合することを含んで成る、方法。
（態様５８）
前記微量栄養素およびポリマーと前記有機系凝集剤との混合が、前記水を処理するための生物学的水処理装置内で行われる、態様５７に記載の方法。
（態様５９）
生物学的水処理プロセスで凝集剤を使用することにより生成されるフロックの特性を変える方法であって、
所定の相乗比で、前記凝集剤、微量栄養素およびポリマーを別々に又は同時に処理を必要とする水へ添加することを含んで成る、フロックの特性を変える方法。
（態様６０）
前記特性が、１つ又はそれよりも多い前記フロックの径、生物学的活性、密度、沈降速度、粘度、表面特性、汚泥容量指標（ＳＶＩ）および領域沈降速度（ＺＳＶ）である、態様５９に記載のフロックの特性を変える方法。
（態様６１）
２０〜６０重量部の前記凝集剤、４〜８重量部の前記微量栄養素および１〜５重量部の前記ポリマーを前記水へ添加する、態様５９又は６０に記載のフロックの特性を変える方法。
（態様６２）
処理水１リットル当たりに８〜１７ｍｇの量の前記凝集剤が供され、処理水１リットル当たりに０．２〜１ｍｇの量の前記微量栄養素が供され、および処理水１リットル当たりに１．５〜３ｍｇの量の前記ポリマーが供される、態様５９〜６１のいずれかに記載のフロックの特性を変える方法。
（態様６３）
前記凝集剤が生分解性を有している、態様５９〜６２のいずれかに記載のフロックの特性を変える方法。
（態様６４）
前記凝集剤が天然有機系凝集剤である、態様５９〜６３のいずれかに記載のフロックの特性を変える方法。
（態様６５）
前記凝集剤がでんぷん系凝集剤である、態様６４に記載のフロックの特性を変える方法。
（態様６６）
前記微量栄養素が、鉄、亜鉛、ナトリウム、マグネシウムおよびマンガンの塩から成る群から選択される塩を含んで成る、態様５９〜６５のいずれかに記載のフロックの特性を変える方法。
（態様６７）
前記微量栄養素が複数の無機塩を含んで成る、態様６６に記載のフロックの特性を変える方法。
（態様６８）
前記微量栄養素が、１つ又はそれよりも多い塩化鉄（ＦｅＣｌ３）、硫化マグネシウム（ＭｇＳＯ４）、硫化ナトリウム（Ｎａ２ＳＯ４）、硫化亜鉛（ＺｎＳＯ４）および塩化マンガン（ＭｎＣｌ２）を含んで成る、態様６６又は６７に記載のフロックの特性を変える方法。
（態様６９）
前記微量栄養素が酵母を含んで成る、態様５９〜６５のいずれかに記載のフロックの特性を変える方法。
（態様７０）
前記ポリマーが天然ポリマーである、態様５９〜６９のいずれかに記載のフロックの特性を変える方法。
（態様７１）
前記ポリマーがキトサンである、態様７０に記載のフロックの特性を変える方法。
（態様７２）
有機系凝集剤、微量栄養素およびポリマーを前記水へ添加する工程を含んで成る水処理方法であって、
前記凝集剤、前記微量栄養素および前記ポリマーを所定の相乗比で前記水に混合して、前記水中の微粒子の凝集性を向上させる、方法。
（態様７３）
有機系凝集剤、微量栄養素およびポリマーを前記水へ添加する工程を含んで成る水処理方法であって、
前記凝集剤、前記微量栄養素および前記ポリマーを所定の相乗比で前記水に混合して、前記水を処理するために使用される膜バイオリアクター中の膜表面における汚染を低減する、方法。
（態様７４）
有機系凝集剤、微量栄養素およびポリマーを前記水へ添加する工程を含んで成る水処理方法であって、
前記凝集剤、前記微量栄養素および前記ポリマーを所定の相乗比で前記水に混合して、前記水を処理するために使用される生物学的処理システム中のバイオマスによるリンおよび/又は窒素の消費を改善する、方法。
（態様７５）
有機系凝集剤、微量栄養素およびポリマーを前記水へ添加する工程を含んで成る水処理方法であって、
前記凝集剤、前記微量栄養素および前記ポリマーを所定の相乗比で前記水に混合して、前記水を処理するために使用される生物学的処理システム中のバイオマスおよび/又はフロックの生物活性を改善する、方法。
（態様７６）
有機系凝集剤、微量栄養素およびポリマーを前記水へ添加する工程を含んで成る水処理方法であって、
前記凝集剤、前記微量栄養素および前記ポリマーを所定の相乗比で前記水に混合して、前記水を処理するために使用される膜バイオリアクター中の流束を改善する、方法。